(57)【要約】【課題】フロントフード開閉時にはフードアウタパネルの変形を防止でき、衝突時には変形して衝撃を確実に吸収できる車両用フロントフードを提供する。【解決手段】本発明にかかる車両用フロントフード１００は、フードアウタパネル１０２とフードインナパネル１０４との間に配置される支持部材１０６を備え、フードインナパネルは、車両後方に向かうほど車両上方に傾斜する傾斜領域１０８と、傾斜領域の前縁１１２から車両前側に延びる前領域１１０とを有し、支持部材は、フードアウタパネルに沿って配置されフードアウタパネルに連結される天板１１４と、天板からフードインナパネルの前領域に向かって延び前領域に車幅方向にわたって接合される前壁１１６と、天板からフードインナパネルの傾斜領域に向かって延び傾斜領域に車幅方向にわたって接合される後壁１１８、１２０とを有し、側方視において前壁および後壁は、傾斜領域よりも垂直に近い姿勢である。【選択図】図２
2020128169.tif 000002
【特許請求の範囲】
【請求項１】
車体前部のパワープラントルームを覆うフードインナパネルと、
前記フードインナパネルに車外側から組み合わされるフードアウタパネルと、
前記フードアウタパネルと前記フードインナパネルとの間に配置される支持部材とを備える車両用フロントフードにおいて、
前記フードインナパネルは、
車両後方に向かうほど車両上方に傾斜する傾斜領域と、
前記傾斜領域の前縁から車両前側に延びる前領域とを有し、
前記支持部材は、
前記フードアウタパネルに沿って配置され該フードアウタパネルに連結される天板と、
前記天板から前記フードインナパネルの前領域に向かって延び該前領域に車幅方向にわたって接合される前壁と、
前記天板から前記フードインナパネルの傾斜領域に向かって延び該傾斜領域に車幅方向にわたって接合される後壁とを有し、
側方視において前記前壁および後壁は、前記傾斜領域よりも垂直に近い姿勢であることを特徴とする車両用フロントフード。
【請求項２】
前記支持部材の後壁は、前記天板の後端よりも車両前側において、前記前壁よりも車幅方向の短い長さにわたって前記傾斜領域に接合されていることを特徴とする請求項１に記載の車両用フロントフード。
【請求項３】
前記支持部材の天板は、周囲より脆弱な所定の脆弱部を有することを特徴とする請求項１または２に記載の車両用フロントフード。
【請求項４】
前記支持部材の前壁の車幅方向外側の端部には、前記天板に隣接する箇所において切り欠かれた切欠部が形成されていて、
前記脆弱部は、前記切欠部に連続して延びる溝を含むことを特徴とする請求項３に記載の車両用フロントフード。
【請求項５】
当該車両用フロントフードはさらに、
前記フードインナパネルの前領域に取付けられるストライカと、
前記フードインナパネルに上方から重ねられ前記ストライカに接合される補強部材とを備え、
前記補強部材は、前記支持部材の前壁から前記傾斜領域にまでわたって前記フードインナパネルに接合されていることを特徴とする請求項１から４のいずれか１項に記載の車両用フロントフード。
【発明の詳細な説明】
【技術分野】
【０００１】
本発明は、車両用フロントフードに関するものである。
【背景技術】
【０００２】
自動車などの車両では、車体前部にパワープラントルームが設けられていて、このパワープラントの上方には開閉する車両用フロントフードが配置されている。車両用フロントフードは、互いに組み合わされ車外側および車内側にそれぞれ面するフードアウタパネルおよびフードインナパネルを備える。
【０００３】
車両用フロントフードを開閉する時にはフードアウタパネルに荷重が入力されるが、かかる通常の使用時にフードアウタパネルが永久変形することは防止しなければならない。一方、車両用フロントフードには、車両と被衝突体との衝突時に被衝突体が乗り上げることがある。かかる非常時には、車両用フロントフードには、積極的に変形して衝突エネルギーを吸収し、被衝突体への衝撃荷重を緩和することが求められる。
【０００４】
特許文献１には、フードインナパネルに取付けられるストライカと、フードロックリンフォースとを備えた車両用フードが記載されている。フードロックリンフォースは、ストライカの上方でフードアウタパネルとフードインナパネルとの間に配置され、フードアウタパネルに接合される本体板部と、前取り付け片と、後取り付け片とを有している。
【０００５】
フードロックリンフォースの前取り付け片は、本体板部の車両前後方向の前部に車幅方向に間隔をおいて複数設けられ、フードインナパネルに接合される。後取り付け片は、本体板部の後部に設けられ、フードインナパネルに接合される。また後取り付け片は、車幅方向において前取り付け片の取付け位置よりも内側に偏位した箇所に設けられている。
【０００６】
特許文献１では、フードロックリンフォースの本体板部をフードアウタパネルに接合することで、フードアウタパネルの剛性の補強を図る、としている。また特許文献１では、フードロックリンフォースの前取り付け片および後取り付け片の取付け位置を車幅方向で変位させることで、フードインナパネルの剛性を確保しあるいは剛性が大きくなり過ぎることを抑制する、としている。さらに特許文献１では、フードロックリンフォースの上方となるフードアウタパネルの箇所のどの部分にインパクタの荷重が入力した場合であっても、フードアウタパネルは変形しやすく、衝撃吸収性能が向上する、としている。
【先行技術文献】
【特許文献】
【０００７】
【特許文献１】特開２０１８−３９４３９号公報
【発明の概要】
【発明が解決しようとする課題】
【０００８】
しかし特許文献１の車両用フードでは、フードロックリンフォースの本体板部をフードアウタパネルに接合し、本体板部で荷重を受けるため、本体板部の中央部分でなければ、衝突時の上下方向の大きな荷重を十分に吸収することはできない。このように特許文献１の車両用フードには、衝突時には変形して衝撃を吸収するという点で、改善の余地がある。
【０００９】
本発明は、このような課題に鑑み、フロントフード開閉時にはフードアウタパネルの変形を防止でき、衝突時には変形して衝撃を確実に吸収できる車両用フロントフードを提供することを目的としている。
【課題を解決するための手段】
【００１０】
上記課題を解決するために、本発明にかかる車両用フロントフードの代表的な構成は、車体前部のパワープラントルームを覆うフードインナパネルと、フードインナパネルに車外側から組み合わされるフードアウタパネルと、フードアウタパネルとフードインナパネルとの間に配置される支持部材とを備える車両用フロントフードにおいて、フードインナパネルは、車両後方に向かうほど車両上方に傾斜する傾斜領域と、傾斜領域の前縁から車両前側に延びる前領域とを有し、支持部材は、フードアウタパネルに沿って配置されフードアウタパネルに連結される天板と、天板からフードインナパネルの前領域に向かって延び前領域に車幅方向にわたって接合される前壁と、天板からフードインナパネルの傾斜領域に向かって延び傾斜領域に車幅方向にわたって接合される後壁とを有し、側方視において前壁および後壁は、傾斜領域よりも垂直に近い姿勢であることを特徴とする。
【発明の効果】
【００１１】
本発明によれば、フロントフード開閉時にはフードアウタパネルの変形を防止でき、衝突時には変形して衝撃を確実に吸収できる車両用フロントフードを提供することができる。
【図面の簡単な説明】
【００１２】
【図１】本発明の実施例に係る車両用フロントフードの外観を概略的に示す図である。
【図２】図１の車両用フロントフードの一部を示す図である。
【図３】図２の車両用フロントフードの各断面を示す図である。
【図４】図２の車両用フロントフードを上方から見た状態を示す図である。
【図５】図２の車両用フロントフードが衝突時に変形した状態を示す図である。
【発明を実施するための形態】
【００１３】
本発明の一実施の形態に係る車両用フロントフードの代表的な構成は、車体前部のパワープラントルームを覆うフードインナパネルと、フードインナパネルに車外側から組み合わされるフードアウタパネルと、フードアウタパネルとフードインナパネルとの間に配置される支持部材とを備える車両用フロントフードにおいて、フードインナパネルは、車両後方に向かうほど車両上方に傾斜する傾斜領域と、傾斜領域の前縁から車両前側に延びる前領域とを有し、支持部材は、フードアウタパネルに沿って配置されフードアウタパネルに連結される天板と、天板からフードインナパネルの前領域に向かって延び前領域に車幅方向にわたって接合される前壁と、天板からフードインナパネルの傾斜領域に向かって延び傾斜領域に車幅方向にわたって接合される後壁とを有し、側方視において前壁および後壁は、傾斜領域よりも垂直に近い姿勢であることを特徴とする。
【００１４】
上記構成では、車両用フロントフードの開閉時などにフードアウタパネルに荷重が入力された場合、この荷重は、支持部材の天板から前壁および後壁に伝達され、さらにフードインナパネルまで伝達され分散される。このような荷重の伝達・分散が可能である理由は、支持部材の前壁および後壁が、フードインナパネルの傾斜領域よりも垂直に近い姿勢にあり、上記の荷重に抗してその形状を保っているからである。したがって、通常時のフロントフードの開閉によってフードアウタパネルが変形することが防止されている。
【００１５】
一方、車両用フロントフードに被衝突体が衝突してフードアウタパネルに大きな荷重が入力されると、フードアウタパネルは変形し、被衝突体から受ける荷重を吸収する。それだけでなく、支持部材の天板が下方に沈み込み、支持部材の前壁および後壁も下方に潰れつつ変形して荷重を吸収する。
【００１６】
このように支持部材は、通常のフロントフード開閉時には形状を保ってフードアウタパネルの変形を防止するとともに、衝突時には変形して衝撃を吸収するという、２つの作用を兼ね備えている。とりわけ衝突時には、フードアウタパネルだけでなく、支持部材までもが変形して衝撃を吸収する分、被衝突体に対する傷害値をより低減でき、衝撃吸収性能を確保できる。
【００１７】
上記の支持部材の後壁は、天板の後端よりも車両前側において、前壁よりも車幅方向の短い長さにわたって傾斜領域に接合されているとよい。これにより、支持部材の天板の後端に大きな荷重が入力された場合、後壁は、天板の後端よりも車両前側に位置し、さらに前壁よりも車幅方向の長さが短いので、下方に確実に潰れつつ変形して荷重を吸収できる。
【００１８】
上記の支持部材の天板は、周囲より脆弱な所定の脆弱部を有するとよい。このように支持部材の天板は、変形を促進する脆弱部を有しているため、衝突時など大きな荷重が入力されると、脆弱部が起点となって下方に確実に変位して衝撃を吸収できる。
【００１９】
上記の支持部材の前壁の車幅方向外側の端部には、天板に隣接する箇所において切り欠かれた切欠部が形成されていて、脆弱部は、切欠部に連続して延びる溝を含むとよい。このように、支持部材の天板の脆弱部である溝は、前壁の車幅方向外側の端部に形成された切欠部に連続して延びている。このため、支持部材の天板の車幅方向外側に大きな荷重が入力されると、切欠部および溝に応力が集中し、前壁はより変形し易くなり衝撃を確実に吸収できる。
【００２０】
上記の車両用フロントフードはさらに、フードインナパネルの前領域に取付けられるストライカと、フードインナパネルに上方から重ねられストライカに接合される補強部材とを備え、補強部材は、支持部材の前壁から傾斜領域にまでわたってフードインナパネルに接合されているとよい。
【００２１】
このように、補強部材は、ストライカに接合されるだけでなく、支持部材の前壁からフードインナパネルの傾斜領域にまでわたって接合されている。このため、支持部材の前壁に対して車両前後方向の荷重が入力された場合、荷重は、前壁から補強部材を介して傾斜領域およびストライカに伝達される。したがって補強部材は、傾斜領域およびストライカの剛性を利用して、車両前後方向の荷重に対する前壁の支持剛性を高めることができる。
【実施例】
【００２２】
以下に添付図面を参照しながら、本発明の好適な実施例について詳細に説明する。かかる実施例に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２３】
図１は、本発明の実施例に係る車両用フロントフード１００の外観を概略的に示す図である。図２は、図１の車両用フロントフード１００の一部を示す図である。なお以下各図において、車両前後方向をそれぞれ矢印Ｆｒｏｎｔ、Ｂａｃｋ、車幅方向の左右をそれぞれ矢印Ｌｅｆｔ、Ｒｉｇｈｔ、車両上下方向をそれぞれ矢印Ｕｐ、Ｄｏｗｎで例示する。
【００２４】
車両用フロントフード１００は、車体前部において不図示のパワープラントルームの上方に配置される。車両用フロントフード１００は、その外面を構成するフードアウタパネル１０２と、図２（ａ）に示すフードインナパネル１０４および支持部材１０６とを備える。なお図２（ａ）および図２（ｂ）では、フードアウタパネル１０２を省略して示している。
【００２５】
フードインナパネル１０４は、車両用フロントフード１００の内面を構成する部材であり、フードアウタパネル１０２の下方に配置されている。フードインナパネル１０４は、図２（ｂ）に示す傾斜領域１０８と前領域１１０とを有する。傾斜領域１０８は、車両後方に向かうほど車両上方に傾斜する領域である。前領域１１０は、傾斜領域１０８の前縁１１２から車両前側に延びる領域である。
【００２６】
支持部材１０６は、フードアウタパネル１０２とフードインナパネル１０４との間に配置された部材であり、天板１１４と、前壁１１６と、車幅方向に離間した２つの後壁１１８、１２０とを有する。
【００２７】
支持部材１０６の天板１１４は、フードアウタパネル１０２に沿って配置され、フードアウタパネル１０２に連結される。また天板１１４の上面は、荷重の入力が想定される複数の所定箇所に弾性体であるマスチックシーラー１２２（図１参照）が塗布され、フードアウタパネル１０２の下面に接着し連結される。
【００２８】
支持部材１０６の前壁１１６は、天板１１４の前端１２４からフードインナパネル１０４の前領域１１０に向かって屈曲し延びている。前壁１１６は、前側接合部１２６を有し、前側接合部１２６によって前領域１１０に車幅方向にわたって接合される。
【００２９】
支持部材１０６の後壁１１８、１２０は、車幅方向に並んで配置された天板１１４の開口１２８、１３０の後端１３２、１３４からフードインナパネル１０４の傾斜領域１０８に向かって屈曲し延びている。ここで傾斜領域１０８には、２つの凸部１３６、１３８が形成されていて、剛性が高められている。後壁１１８、１２０は、後側接合部１４０、１４２を有し、後側接合部１４０、１４２によって傾斜領域１０８の凸部１３６、１３８に車幅方向にわたって接合される。なお後壁１１８、１２０は、天板１１４の開口１２８、１３０の後端１３２、１３４から傾斜領域１０８に向かって延びているため、天板１１４の後端１４４よりも車両前側で傾斜領域１０８に接合されている。
【００３０】
支持部材１０６の天板１１４はさらに、２つの孔部１４６、１４８と、２つの溝１５０、１５２とを有し、これらは周囲より脆弱な脆弱部１５４として機能し、衝突時の変形を促進する。また支持部材１０６の前壁１１６は、その車幅方向外側の端部に形成され、天板１１４に隣接する箇所において切り欠かれた切欠部１５６、１５８を有する。脆弱部１５４の孔部１４６、１４８は、開口１２８、１３０の間に形成され、車両前後方向に離間している。脆弱部１５４の溝１５０、１５２は、開口１２８、１３０から切欠部１５６、１５８まで連続して延びている。
【００３１】
図３は、図２の車両用フロントフード１００の各断面を示す図である。図３（ａ）、図３（ｂ）は、図２（ａ）、図２（ｂ）のＡ−Ａ断面、Ｂ−Ｂ断面をそれぞれ示す図である。なお図３では、支持部材１０６の２つの後壁１１８、１２０のうち、一方の後壁１１８およびその周辺の構造について主に説明するが、他方の後壁１２０およびその周辺の構造も同様の機能などを有する。
【００３２】
車両用フロントフード１００はさらに、図３（ａ）に示すストライカ１６０と補強部材１６２とを備える。ストライカ１６０は、フードインナパネル１０４の前領域１１０に取付けられる。補強部材１６２は、フードインナパネル１０４に上方から重ねられ、ストライカ１６０に接合される。また補強部材１６２は、その前端部１６４が支持部材１０６の前壁１１６の前側接合部１２６およびフードインナパネル１０４の前領域１１０に重ねられ接合されている。さらに補強部材１６２は、その後端部１６６がフードインナパネル１０４の傾斜領域１０８に重ねられ接合されている。すなわち補強部材１６２は、支持部材１０６の前壁１１６から傾斜領域１０８にまでわたってフードインナパネル１０４に接合されている。
【００３３】
また支持部材１０６の前壁１１６および後壁１１８は、図３（ｂ）に示すように側方視において、フードインナパネル１０４の傾斜領域１０８よりも垂直に近い姿勢となっている。なおフードインナパネル１０４は、前領域１１０の車両前側のフード前側接合部１６８によってフードアウタパネル１０２に接合され、傾斜領域１０８よりも車両後側のフード後側接合部１７０によってフードアウタパネル１０２に接合されている。
【００３４】
図４は、図２の車両用フロントフード１００を上方から見た状態を示す図である。前壁１１６の前側接合部１２６は、図示のように車幅方向の長さＬａにわたってフードインナパネル１０４の前領域１１０に接合されている。また後壁１１８、１２０の後側接合部１４０、１４２は、前側接合部１２６の車幅方向の長さＬａよりも短い長さＬｂ、Ｌｃにわたって、フードインナパネル１０４の傾斜領域１０８に接合されている。
【００３５】
また後壁１１８、１２０の後側接合部１４０、１４２には、スポット打点１７２、１７４が形成されている。これらのスポット打点１７２、１７４は、上下方向の荷重がせん断方向の荷重にならないように、傾斜領域１０８に沿って斜め方向に設定されている。このためスポット打点１７２、１７４には、上下方向の荷重を受けても亀裂が発生しない。
【００３６】
以下、車両用フロントフード１００の挙動について説明する。車両用フロントフード１００の開閉時などにフードアウタパネル１０２に荷重が入力された場合、この荷重は、支持部材１０６の天板１１４から前壁１１６および後壁１１８、１２０に伝達され、さらにフードインナパネル１０４まで伝達され分散される。
【００３７】
このような荷重の伝達および分散は、支持部材１０６の前壁１１６および後壁１１８、１２０が、フードインナパネル１０４の傾斜領域１０８よりも垂直に近い姿勢にあり、荷重に抗してその形状を保っていることで可能となる。したがって車両用フロントフード１００によれば、通常時の開閉によってフードアウタパネル１０２が変形することを防止できる。
【００３８】
また車両用フロントフード１００では、図３に示すように補強部材１６２がストライカ１６０に接合されるだけでなく、支持部材１０６の前壁１１６からフードインナパネル１０４の傾斜領域１０８にまでわたって接合されている。このため、支持部材１０６の前壁１１６に対して車両前後方向の荷重が入力された場合、荷重は、前壁１１６から補強部材１６２を介して傾斜領域１０８およびストライカ１６０にまで伝達される。したがって車両用フロントフード１００では、補強部材１６２が傾斜領域１０８およびストライカ１６０の剛性を利用できるため、車両前後方向の荷重に対する前壁１１６の支持剛性を高めることができる。
【００３９】
図５は、図２の車両用フロントフード１００が衝突時に変形した状態を示す図である。図５（ａ）は、図２（ｂ）の車両用フロントフード１００の変形後の状態を示している。図５（ｂ）は、図５（ａ）のＣ−Ｃ断面図である。なお図中では、車両用フロントフード１００に被衝突体が衝突してフードアウタパネル１０２に大きな荷重（図５（ｂ）の矢印Ｄ参照）が入力された状況を示している。
【００４０】
車両用フロントフード１００が衝突時の大きな荷重を受けた場合、図５（ｂ）に示すようにフードアウタパネル１０２は下方に変形し、被衝突体から受ける荷重を吸収する。さらに支持部材１０６の天板１１４は、フードアウタパネル１０２に連結されているので、図５（ａ）に示すように下方に沈み込む。さらに天板１１４は、変形を促進する脆弱部１５４を有しているため、脆弱部１５４が起点となって下方に確実に変位して衝撃を吸収できる。
【００４１】
天板１１４が下方に沈み込むと、支持部材１０６の前壁１１６および後壁１１８、１２０も下方に潰れつつ変形して荷重を吸収する。さらに天板１１４の脆弱部１５４の溝１５０、１５２は、図５（ａ）に示すように前壁１１６の車幅方向外側の端部に形成された切欠部１５６、１５８に連続して延びている。このため、天板１１４の車幅方向外側に大きな荷重が入力されると、切欠部１５６、１５８および溝１５０、１５２に応力が集中し、前壁１１６は、より変形し易くなり衝撃を確実に吸収できる。前壁１１６は、図５（ｂ）に示すように、車両後側に倒れつつ下方に変位している。
【００４２】
支持部材１０６の後壁１１８、１２０は、図４に示すように天板１１４の後端１４４よりも車両前側に位置し、さらに後側接合部１４０、１４２が前壁１１６の前側接合部１２６よりも車幅方向の長さが短い。このため、天板１１４の後端１１４４に大きな荷重が入力された場合、後壁１１８、１２０は、下方に確実に潰れつつ変形して荷重を吸収できる。後壁１１８、１２０は、図５（ｂ）に示すように、車両前後に屈曲して潰れて下方に変位している。
【００４３】
このように支持部材１０６は、通常の開閉時には形状を保ってフードアウタパネル１０２の変形を防止するとともに、衝突時には変形して衝撃を吸収するという、２つの作用を兼ね備えている。したがって車両用フロントフード１００は、通常の開閉時にはフードアウタパネル１０２の変形を防止でき、衝突時には変形して衝撃を確実に吸収できる。しかも車両用フロントフード１００によれば、衝突時には、フードアウタパネル１０２だけでなく、支持部材１０６までもが変形して衝撃を吸収する分、被衝突体に対する傷害値をより低減でき、衝撃吸収性能を確保できる。
【００４４】
以上、添付図面を参照しながら本発明の好適な実施例について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、車両用フロントフードに利用することができる。
【符号の説明】
【００４６】
１００…車両用フロントフード、１０２…フードアウタパネル、１０４…フードインナパネル、１０６…支持部材、１０８…傾斜領域、１１０…前領域、１１２…傾斜領域の前縁、１１４…天板、１１６…前壁、１１８、１２０…後壁、１２２…マスチックシーラー、１２４…天板の前端、１２６…前側接合部、１２８、１３０…天板の開口、１３２、１３４…開口の後端、１３６、１３８…傾斜領域の凸部、１４０、１４２…後側接合部、１４４…天板の後端、１４６、１４８…天板の孔部、１５０、１５２…天板の溝、１５４…脆弱部、１５６、１５８…切欠部、１６０…ストライカ、１６２…補強部材、１６４…補強部材の前端部、１６６…補強部材の後端部、１６８…フード前側接合部、１７０…フード後側接合部、１７２、１７４…スポット打点
【図１】
2020128169.tif 000003
【図２】
2020128169.tif 000004
【図３】
2020128169.tif 000005
【図４】
2020128169.tif 000006
【図５】
2020128169.tif 000007